(57)【特許請求の範囲】
【請求項１】
前面板を解除可能かつ調節可能に引出し枠に締結するための締結装置を備えた引出し枠であって、連結具が前記前面板に事前に組み立てられ、相互に係合されているときに前記連結具を自動的に前記引出し枠の方向に引張るバネ付勢キャッチ部材が前記引出し枠に配設され、前記キャッチ部材用にロック装置が設けられた引出し枠において、
前記ロック装置がクランプ装置の形を取る引出し枠。
【請求項２】
前記ロック装置がバネの力によって、前記キャッチ部材が前記連結具を保持する位置に自動的にクランプする請求項１に記載の引出し枠。
【請求項３】
前記前面板の位置を前記引出し枠に対して調節するために、前記ロック装置が解除装置によって解除可能である請求項１または２に記載の引出し枠。
【請求項４】
前記ロック装置が少なくとも１つのくさび部材を備え、前記くさび部材が軸を中心に回転可能であり、前記くさび部材が前記キャッチ部材を第１動作位置でロックし、かつ前記キャッチ部材を第２動作位置で解除する請求項３に記載の引出し枠。
【請求項５】
前記第１動作位置で前記くさび部材が、前記キャッチ部材と前記引出し枠に関連する当接部材との間のクランプ接続を形成する請求項４に記載の引出し枠。
【請求項６】
前記くさび部材が少なくとも一つのガイドトラック、ラジアルカムまたは接続リンクガイドを有し、それに沿って前記くさび部材が前記当接部材上を移動することができる請求項５に記載の引出し枠。
【請求項７】
前記当接部材が前記引出し枠に対して静止しているジャーナルによって形成される請求項５または６に記載の引出し枠。
【請求項８】
前記くさび部材が、前記くさび部材を前記第１動作位置の方向に付勢することのできるバネによって作動することができる請求項４から７のいずれかに記載の引出し枠。
【請求項９】
前記バネが、前記キャッチ部材のバネによって、または前記バネとは別個のバネによって形成される請求項８に記載の引出し枠。
【請求項１０】
前記くさび部材が前記解除装置によって前記第１動作位置から外れて前記第２動作位置に移動することができる請求項４から９のいずれかに記載の引出し枠。
【請求項１１】
前記解除装置が、前記くさび部材を移動させることのできる工具、好ましくはネジ回し用の外向きにアクセス可能な受容手段を有する請求項１０に記載の引出し枠。
【請求項１２】
前記受容手段が前記くさび部材上に配設または直接形成される請求項１１に記載の引出し枠。
【請求項１３】
前記受容手段が前記くさび部材から分離して中間レバー上に配設または形成され、それによって前記くさび部材が可動である請求項１１に記載の引出し枠。
【請求項１４】
前記くさび部材の一つの動作位置、好ましくは第２動作位置で、少なくとも一つの調節装置が前記前面板の相対位置を調節するために前記引出し枠上で外向きにアクセス可能である請求項４から１３のいずれかに記載の引出し枠。
【請求項１５】
前記引出し枠が、ネジ回しの通過のために設けられた開口を有し、前記引出し枠の第１深さ位置で前記解除装置がアクセス可能であり、前記引出し枠の第１深さ位置で前記ロック装置の解除が可能であり、かつ前記引出し枠の第２深さ位置で前記調節装置がアクセス可能であり、前記引出し枠の第２深さ位置で前記引出し枠に対する前記連結具の調節が可能である請求項１４に記載の引出し枠。
【請求項１６】
前記調節装置が伝動装置を有する角度調節装置を備え、前記角度調節装置によって前記引出し枠に対する前記前面板の傾きを調節することができる請求項１４または１５に記載の引出し枠。
【請求項１７】
前記角度調節装置が変換機構を有し、前記変換機構によって前記伝動装置に関連する調節ホイールの回転運動が前記前面板の角度調節に変換される請求項１６に記載の引出し枠。
【請求項１８】
前記変換機構がレバー装置を有し、前記レバー装置によって前記連結具を前記引出し枠の前部に対して傾けることができる請求項１７に記載の引出し枠。
【請求項１９】
前記レバー装置が二つのレバーを有し、一つは前記引出し枠の上側に沿って少なくとも局所的に移動し、かつ、他の一つは前記引出し枠の下側に沿って少なくとも局所的に移動し、前記二つのレバーが二腕型シフトレバーによって相互に接続される請求項１８に記載の引出し枠。
【請求項２０】
前記調節装置が前記前面板のための高さ調節装置と側方調節装置との少なくとも一方を備える請求項１４から１９のいずれかに記載の引出し枠。
【請求項２１】
前記キャッチ部材が、ネジ回し用の受容手段を有し、前記ネジ回し用の受容手段によって前記キャッチ部材を拘束位置外に移動させることができ、かつ、前記前記ネジ回し用の受容手段によって前記連結具が解除される請求項１から２０のいずれかに記載の引出し枠。
【請求項２２】
前記連結具が、一体に接続することができ、かつ、少なくとも一つの調節装置によって相互に対して調節可能である、少なくとも二つの部材を備える請求項１から２１のいずれかに記載の引出し枠。
【請求項２３】
前記連結具の高さが前記引出し枠の高さを超えて突出する請求項１から２２のいずれかに記載の引出し枠。
【請求項２４】
前記引出し枠の前部上側領域に、前記連結具を通過させるために設けられた開口がある請求項１から２３のいずれかに記載の引出し枠。
【請求項２５】
前記連結具が、平板状の形状構成である少なくとも一つの枠挿入体用の保持装置を有する請求項１から２４のいずれかに記載の引出し枠。
【請求項２６】
前記引出し枠が二重壁の中空チャンバ枠である請求項１から２５のいずれかに記載の引出し枠。
【請求項２７】
全ての構成部品が前記二重壁の中空チャンバ枠の内側に配設される請求項２６に記載の引出し枠。
【請求項２８】
請求項１から２７のいずれかに記載の引出し枠を有する引出し。
【請求項２９】
請求項２８に記載の引出しを有する家具。
【発明の詳細な説明】
【技術分野】
【０００１】
本発明は、前面板を解除可能かつ好ましくは調節可能に引出し枠に締結するための締結装置を備えた引出し枠であって、連結具が前面板に事前に組み立てられ、相互に係合されているときに連結具を自動的に引出し枠の方向に引っ張るバネ付勢キャッチ部材が引出し枠に配設され、キャッチ部材用にロック装置が設けられた引出し枠に関する。
本発明はまた引出しおよび記載する種類の引出し枠を有する家具にも関する。
【背景技術】
【０００２】
この種の引出し枠は例えば、引出し用のプルアウトガイドアセンブリのレールに枠アタッチメントとして接続することができる。これらの枠アタッチメントは次に引出し底、引出し後壁、および前面板に対する締結能力を有する。本発明の出願人による欧州特許ＥＰ  ０  ７４０  ９１７  Ｂ１号は、前面板またはその連結具をバネ付勢キャッチ部材によって引出し枠に自動的に掛止できるようにした、前面板を引出し枠に着脱自在に締結するための接続金具を開示している。前面板がキャッチ部材に対して組付け位置にあるときに、キャッチ部の切欠きと係合する阻止棒が設けられる。特に重荷重が掛かった引出しの場合、前面板に加えられる人力のため、前面板が引出し枠に対してわずかな傾動を行うことが頻繁に発生し得る。この相対的動作は引出しの動作に遅延を生じ、したがって状況によっては最適な動作の必要性が満たされないので、望ましくない。
【０００３】
ＥＰ  ０  ７６１  １３０  Ａ２号は、枢動自在のロック要素が前面板に関連するフラップ状突起に係合するようにした、引出しの前面板を取り付けるための連結具を開示している。
【先行技術文献】
【特許文献】
【０００４】
【特許文献１】欧州特許ＥＰ  ０  ７４０  ９１７  Ｂ１号
【特許文献２】ＥＰ  ０  ７６１  １３０  Ａ２号
【発明の概要】
【発明が解決しようとする課題】
【０００５】
本発明の目的は、前面板の確実な取付けおよび好ましくはさらに前面板の多くの調節能力を可能にする、導入部に示した種類の引出し枠を開示することである。
【課題を解決するための手段】
【０００６】
本発明の好ましい実施形態では、ロック装置がクランプ装置の形を取ることで達成される。
【発明の効果】
【０００７】
最も単純な事例では、前面板の連結具が締結装置のバネ力によって保持されるだけでなく、さらに安定した位置にロックしてロック位置におけるキャッチ部材の相対的移動を防止するように、キャッチ部材と作動的に係合させることのできるピンによって、このロックを達成することができる。このようにして、キャッチ部材とロックされた前面板の連結具を、引出し枠に実質的に遊びの無いように剛結合することができる。
【０００８】
好適な実施形態では、ロック装置がバネの力によってキャッチ部材を、それが連結具を保持する位置に自動的にロックするように規定することができる。したがってそのような場合、追加的な手動操作によってロック装置を別途作動させる必要が無い。
【０００９】
本発明の好適な実施形態では、前面板の位置を引出し枠に対して調節するためにロック装置を解除することができるように規定することができる。この場合、前面板は通常の締結装置によって引出し枠に固定されたままであるが、引出し枠に対する前面板の選択位置を特に調節することができる。
【００１０】
構造上の観点から、ロック装置が少なくとも一つのくさび部材を有し、該くさび部材が可動であり、好ましくは軸を中心に回転可能であり、かつ該くさび部材がキャッチ部材を第１作動位置でロックし、キャッチ部材を第２作動位置で解除するような構成にすることができる。これに関して、第１作動位置で、くさび部材がキャッチ部材と引出し枠に関連する当接部材との間にクランプ接続を形成するように規定することができる。摩擦ロックに加えて、キャッチ部材を直接または間接的に拘束するために確実な接続具を設けることもできる。
【００１１】
本発明の別の実施形態では、くさび部材が少なくとも一つのガイドトラック、好ましくは制御カムまたは接続リンクガイドを有し、それに沿ってくさび部材を前記当接部材に対して相対的に移動させることができるように規定することができる。ガイドトラックの形状は、キャッチ部材に作用する力を調節可能に変動させることができるように選択され、それは例えばその曲がったまたは湾曲した形状によって可能にすることができる。このようにして、一方では、くさび部材は定置当接部材とキャッチ部材との間のくさび位置に着くことができ、他方では、くさび部材は、好ましくはその回転によって、前面板の連結具がキャッチ部材に働くバネの作用力のみによって保持される位置に移動することができる。この点に関しては、くさび部材を自動的にくさび止め位置へと付勢する（キャッチ部材のバネの形、またはおそらく別個のバネの形のいずれかの）バネの配設が有利である。
本発明のさらなる詳細および利点は、図面の以下の説明から明らかになるであろう。
【図面の簡単な説明】
【００１２】
【図１】本発明に係る引出し枠を有する引出しを持つキャビネット状家具を示す。
【図２】本発明に係る引出し枠を持つ図１の引き出しを前面板が取り外された状態で示す。
【図３】前面板用の連結具が拘束位置にある引出し枠の正面部分を示す。
【図４ａ】引出し枠が連結具に係合され、ロック装置が自動的に拘束されるときの時系列の第１段階を示す。
【図４ｂ】引出し枠が連結具に係合され、ロック装置が自動的に拘束されるときの時系列の第１段階を示す。
【図４ｃ】引出し枠が連結具に係合され、ロック装置が自動的に拘束されるときの時系列の第１段階を示す。
【図５ａ】解除可能なロック装置を持つ引出し枠に対する前面板の傾きの異なる位置を示す。
【図５ｂ】解除可能なロック装置を持つ引出し枠に対する前面板の傾きの異なる位置を示す。
【図５ｃ】解除可能なロック装置を持つ引出し枠に対する前面板の傾きの異なる位置を示す。
【図６】使用する構成部品の分解組立図を示す。
【図７ａ】ねじ回しが第１深さ位置にある状態で解除装置の作動中の引出し枠の縦断面図を示す。
【図７ｂ】ねじ回しが第１深さ位置にある状態で解除装置の作動中の引出し枠の縦断面図を示す。
【図８ａ】ねじ回しが第２深さ位置にある状態で前面板用の角度調節装置の作動中の図７ａおよび７ｂと同様の縦断面図を示す。
【図８ｂ】ねじ回しが第２深さ位置にある状態で前面板用の角度調節装置の作動中の図７ａおよび７ｂと同様の縦断面図を示す。
【図９】本発明に係るロック装置の代替的実施形態を示す。
【図１０】図９の実施形態で連結具が掛止動作を開始するときの状態を示す。
【図１１】図９および１０のキャッチ部材が掛止され、かつさらにロックされた状態を示す。
【図１２ａ】角度調節中の連結具の縦断面図を示す。
【図１２ｂ】角度調節中の連結具の縦断面図を示す。
【図１３】図９から１２に係る実施形態の斜視図を示す。
【発明を実施するための形態】
【００１３】
図１は、家具本体２およびそれに対して変位可能である引出し３を備えたキャビネット状家具１の斜視図である。引出し３は、側方引出し枠４およびこれら後者の上に少なくとも局所的に配設された枠アタッチメント５を有する。引出し枠４は、それを前面板６、引出し底、引出し後壁、および引出し用のプルアウトガイドアセンブリ（図示せず）に接続することができるように構成される。特に家具１の最上部に示す引出し３に関しては、その前面板６は引出し枠４の高さをかなりの程度超える。したがって、前面板６は、先行技術における慣習通り、バネ付勢キャッチ部材によって引出し枠４に保持されているだけであるので、前面板６の上縁の領域で把手が作動したときに、加えられる梃子力のため、引出し枠４に対する前面板６の傾動が誘発されることが起こり得る。この問題を踏まえて、本発明は、以下の図面でさらに詳細に説明する通り、前面板６を取り付けるために、引出し枠４の改善された締結装置を開示することを企図している。
【００１４】
図２は、前面板６を取り外した引出し３の斜視図を示す。引出し３は側方引出し枠４と、引出し３の容量を増大する目的で設けられる枠アタッチメント５とを有する。引出し底７および後壁８も見ることができる。引出し枠４は、引出し枠４の前部領域に配設されかつ完全に引出し枠の前端面の後ろに位置する締結装置９を備える。引出し枠４は二重壁の中空引出し枠として構成され、それによって締結装置の全ての構成部品がその中空チャンバ内に配設されることが分かる。
【００１５】
図３は、前面板６上に取り付けなければならない連結具１０がある引出し枠４の前部領域を示す。連結具１０は、図示されていない前面板６に固定するためのペグ１１を有する。図示する実施形態では、連結具１０の高さは引出し枠４の高さを超えており、安定性のために、引出し枠４より突出する連結具１０の領域１２は少なくとも局所的にＵ字形の形状である。引出し枠４の上側に連続溝１３が形成され、溝１３内に枠アタッチメント５の下側が挿入される。引出し枠４の上側には、連結具１０を通すために設けられた開口Ａも見ることができる。連結具１０は、締結装置９のキャッチ部材１５に掛止する保持部材１４を有する。キャッチ部材１５は、この図面には示されていないバネによって働く。連結具１０を切り離す必要がある場合、単にねじ回しを側方受容手段１６に差し込み、時計回りの方向に回すだけであり、それによって連結具１０は締結装置９から解除される。
【００１６】
図４ａ〜４ｃは、前面板６の連結具１０を引出し枠４の締結装置９に対して接続するプロセスの時系列を示す側面図である。連結具１０には側方に突出する保持部材１４およびその側方調節装置１７が付いており、それによって前面板６の組付け位置を引出し枠４に対して側方に調節することができる。図４ａは掛止プロセスの開始を示し、そこでキャッチ部材１５はバネ１８の作用を受けて緊張待機位置に維持されている。保持部材１４が導入されると、この保持部材は引出し枠４内に引き込まれ、キャッチ部材１５が回転軸を中心に時計周りの方向に枢動して、両方の部材１４、１５は自動的に相互にロックされる。本発明では、少なくとも一つのくさび部材１９ａを備えた追加的ロック装置１９が設けられる。くさび部材１９ａは枢動自在に取り付けられ、ピンの形の定置当接部材２０に沿って移動することのできる湾曲制御カムの形のガイドトラック２１を有する。図４ａでは、くさび部材１９ａは非拘束位置にある。
【００１７】
保持部材１４がキャッチ部材１５と結合されると、キャッチ部材１５はバネ１８の作用により時計回りの方向に枢動し、それにより連結具１０全体が引出し枠４の方向に引かれる。この位置を図４ｂに示す。ガイドトラック２１付きのくさび部材１９ａもバネ１８の作用によって自動的に時計周りの方向に枢動しているため、くさび部材１５ａが今や剛性当接部材２０と回転点Ｓとの間に確実にくさび止めされていることを見ることもできる。このようにして、キャッチ部材１５は優勢なバネ力によって保持されるだけでなく、追加的にロックされてもいるので、ここには示されていない前面板６は引出し枠４に実質的に遊びの無いように接続することができる。このようにして、引出し３の作動による前面板６と引出し枠４との間の望ましくない相対的移動を、比較的大幅に最小化することができる。
【００１８】
次に、図４ｃはさらに連結具１０とキャッチ部材１５との間の掛止位置を示す。しかし、くさび部材１５ａは解除装置２３によって回転点Ｓと当接部材２０との間の剛性クランプ接続から緩められているため、連結具１０の（および前面板６との）相対位置を調節することができる。図示する実施形態では、解除装置２３は、ねじ回しによって垂直方向に移動可能でありくさび部材１９ａを再びある程度枢動させる、高さ調節可能なスライダによって形成される。引出し枠４の外壁（ここには図示せず）は、ねじ回しを通すことのできる開口を有する。ねじ回しは解除装置２３の歯部に係合し、解除装置２３に固定的に接続されたジャーナル３０は、摩擦ロック接続を解除するためにくさび部材１９ａの高さ調節をもたらす。
【００１９】
図５ａ〜５ｃは、図４ｃに基づいて二つの異なる枢動位置にある連結具１０を示す。図５ａから分かるように、ねじ回しを差し込んで回すことによって、ねじ回しが解除装置２３をすり抜けることができるまで、解除装置２３を上昇させることができ、その後、この第２深さ位置で、前面板６の傾きを調節するための調節装置２４をここで作動させることができる。前面板６の傾きを調節するためのこの調節装置２４は調節ホイール付き伝動装置を備え、調節ホイールの回転は、引出し枠４の上側に沿って移動するレバー２５ａの直線運動をもたらし、前記レバー２５ａは引出し枠４の前部領域の連結具１０に押し当てられる。調節装置２４を調節することによってレバー２５ａが変位すると、回転点Ｒに取り付けられた中間レバー２５ｂは、引出し枠４の下側に配設されたレバー２５ｃの反対方向の移動を引き起こし、該レバーもまた引出し枠４の前部領域の連結具１０に押し当てられる。換言すると、前面板６の連結具１０に対し揺動運動が作用する。図５ａは引出し枠４の上部領域の方向に傾いた位置にある連結具１０を示す一方、図５ｂは、角度調節装置２４が反対方向に回転した結果、外側に枢動した位置にある連結具１０を示す。
【００２０】
図５ｃは、連結具の傾きが調節され、よってくさび部材１９ａの形のロック装置１９が回転点Ｓと当接部材２０との間で自動的にくさび止めした状態の連結具１０を示す。それは、ねじ回しが引出し枠４から引き出されたときに、くさび部材１９ａがバネの力で（キャッチ部材１５のバネ１８または別個のバネのいずれかによって）くさび部材１９ａのロック位置に対応する第１動作位置に押し戻されたので、自動的に行われている。図５ｃでは、偏心器の形の高さ調節装置２６を見ることもでき、それによって掛止された連結具１０の高さを引出し枠４に対して調節することができる。この高さ調節装置２６は先行技術で公知であり、したがってここで詳細に説明する必要はない。
【００２１】
図６は、使用した構成部品の分解組立図を示す。それらは全て引出し枠４の中空チャンバ内に配設することができる。組付け板２８は引出し枠４に固定的に接続された底板２７に配設され、組付け板２８は、偏心器の形の高さ調節装置２６によって底板に対して可動である。シフトレバー２５ｂによって動けるように相互に連結されたレバー２５ａおよび２５ｃを持つレバー装置も見ることができる。バネ１８は、連結具１０のここには図示されていない保持部材１４に掛止することのできるキャッチ部材１５に作用する。ロック装置１９は、当接部材２０と回転軸Ｓとの間で組付け位置にくさび止めすることのできる枢動自在のレバーの形のくさび部材１９ａを備える。くさび部材１９ａをロック解除するために、スライダの形の解除装置２３が設けられ、それによってジャーナル３０が輪郭３１内に係合し、それによってロック解除の過程でくさび部材１９ａ全体を上方に動かすことができる（図５ａ参照）。自動ロックのために、くさび部材１９ａに作用する脚バネ３２が設けられ、脚バネ３２はくさび部材１９ａを絶えずくさび止め位置に付勢する。閉鎖は、ねじ回しを第１深さ位置の解除装置２３の歯付き構成まで、かつ第２深さ位置の前面板６を傾斜させるための調節装置２４の調節ホイールまで到達させる開口３３を持つ保持板２９により行われる。調節ホイールを持つ調節装置２４は、動けるように連結されたレバー２５ａおよび２５ｃを介して、レバー２５ａ上に配設された接続歯付き構成３４によって仲介される。
【００２２】
図７ａはロック解除手順の過程における連結具１０の縦断面図であり、図７ｂはこれを拡大した詳細図を示す。ねじ回し３５が保持板２９の開口３３（図６）に通され、それによってスライダの形の解除装置２３はくさび部材１５ａをロック位置の外に移動させる。図７ｂから、ねじ回し３５が引出し枠の長手方向に対して垂直方向に延びる第１深さ位置Ｘを採用していることが分かる。解除装置２３がその最上端位置まで回転すると、ねじ回しは次いで深さ位置Ｙに持っていくことができ、そこに変位し（図８ａ、８ｂ）、そこで角度調節装置２４の調節ホイールを作動させることができる。調節が行われた後でねじ回しが完全に引き出されると、解除装置２３はその最下端位置に移動し、くさび部材１５ａは再び自動的にバネ力によって拘束される。
【００２３】
図９は本発明の代替的実施形態を示す。前面板６用の連結具１０は、一体に接続することができかつ好ましくは相互に対して調節可能である二つの部品１０ａ、１０ｂを含む。前面板６を固定するためのペグ１１が部品１０ａに取り付けられる。先行技術から公知である、前面板６を調節するための側方調節装置１７が部品１０ｂに配設される。部品１０ａ、１０ｂは角度調節装置２４を介して一体に枢着される。次に引出し枠４に関連する締結装置９は、バネ１８によって働くことのできるキャッチ部材１５を備える。ロック装置１９は、回転軸Ｍでキャッチ部材１５に枢着されるくさび部材１９ａを有する。くさび部材１９ａはガイドトラック２１、本実施例の場合はリンクガイドを有し、それによってくさび部材１９ａはこのガイドトラック２１に沿って定置当接部材２０の周りを枢動することができる。図９は待機位置にあるキャッチ部材１５を示し、該位置でこのキャッチ部材は連結具１０の保持部材１４に自動的に掛止することができる。
【００２４】
図１０は、キャッチ部材１５と保持部材１４との間で掛止が行われる少し前の瞬間を示す。バネ１８はくさび部材１９ａを介してキャッチ部材１５に作用するので、解除の際にキャッチ部材１５はその拘束位置に付勢することができ、かつくさび部材１９ａはそのロック位置に付勢することができる。
【００２５】
次に図１１は、完全に掛止されロックされた位置にあるキャッチ部材１５を示す。保持部材１４を動かすように押し込むと、キャッチ部材１５は反時計回りの方向に移動し、掛止状態になる。さらにキャッチ部材１５の同期ロックが行われ、くさび部材１９ａは同様に反時計回りの方向に枢動した。定置当接部材２０は図１０のガイドトラック２１とは反対側の端にあることが分かる。したがってキャッチ部材１５はくさび部材１９ａによって、回転点Ｍと定置当接部材２０との間に確実にロックされる。キャッチ部材１５およびロック装置１９のくさび部材１９ａへの拘束位置を緩めるには、ねじ回しを受容手段１６に差し込んで、時計回り方向に回すだけでよい。
【００２６】
図１２ａは、図９から１１の実施形態の連結具１０の縦断面図である。引出し枠４の締結装置９に接続することのできる部品１０ｂは角度調節装置２４を有し、それによってねじ回しの作動により、前面板の領域で部品１０ｂに関連する角度調節板３６を部品１０ｂに対して相対的に調節することができる。角度調節板３６は、固定ピン３８ａ、３８ｂに対して可動である湾曲スロット３７ａ、３７ｂを有する。したがって、角度調節装置２４の歯がねじ回しの回転運動によって上方に移動すると、前面板の領域にある連結具１０の部品１０ａは、湾曲スロット３７ａ、３７ｂによって部品１０ｂに対して傾いた位置を取る。この状況を図１１ｂに示す。ここでピン３８ａ、３８ｂが湾曲スロット３７ａ、３７ｂの下縁に位置することが分かる。同様に、連結具１０ａは、図１２ａに示した位置から出発して、部品１０ｂを反対方向に回転させることによって傾けることができる。
【００２７】
図１３は二つの部品１０ａ、１０ｂを持つ連結具１０の斜視図であり、部品１０ｂは、保持部材１４を介して締結装置９に解除可能に接続し、かつさらにロック可能に取り付けることができる。この図面はくさび部材１９ａが第１動作位置にあるロック装置１９を示し、そこでキャッチ部材１５は、回転軸Ｍおよび当接部材２０に当接するくさび部材１９ａを介して確実にロックされる。
【００２８】
本発明は図示した実施形態に限定されず、特許請求の範囲に入り得る全ての変形および技術的均等物を包含し、あるいはそこまで拡張することができる。説明において選択された位置関連の情報、例えば頂部、底部、側方等は、直接図示しかつ説明した図面に関係しており、位置が変化した場合にはそれに応じて書き換えられるものとする。
【図１】
0005420541.tif 000002
【図２】
0005420541.tif 000003
【図３】
0005420541.tif 000004
【図４ａ】
0005420541.tif 000005
【図４ｂ】
0005420541.tif 000006
【図４ｃ】
0005420541.tif 000007
【図５ａ】
0005420541.tif 000008
【図５ｂ】
0005420541.tif 000009
【図５ｃ】
0005420541.tif 000010
【図６】
0005420541.tif 000011
【図７ａ】
0005420541.tif 000012
【図７ｂ】
0005420541.tif 000013
【図８ａ】
0005420541.tif 000014
【図８ｂ】
0005420541.tif 000015
【図９】
0005420541.tif 000016
【図１０】
0005420541.tif 000017
【図１１】
0005420541.tif 000018
【図１２ａ】
0005420541.tif 000019
【図１２ｂ】
0005420541.tif 000020
【図１３】
0005420541.tif 000021